(57)【要約】    【課題】  座席部を枠から取外可能にした幼児用無脚椅子において、座席部に大きな力が加わると、座席部の筒状上部を閉鎖する留め具のホックが分離することがある。    【解決手段】  座席部の筒状上部１１は、座席部の後左右の側面１２の上部を外側に折り返し、その折り返し部１３と後左右の側面１２を留め具で連結しており、留め具の分離で筒状上部１１を展開可能にし、座席部を枠１から取外可能にした椅子である。後左右の側面１２とその折り返し部１３には、留め具のファスナ１４を筒状上部１１に沿って取り付け、ファスナ１４下側位置に間隔を置いて留め具のバックル１５を取り付けている。バックル１５は、操作部２３を押して分離する留め具である。【選択図】  図４
0003103493.tif 000002
【実用新案登録請求の範囲】
【請求項１】
Ｕ字形状の枠の湾曲後部に座席部の筒状上部を貫通して枠に座席部を取り付け、枠の左右の両直線状前部にそれぞれ支持腕の後上端を取り付け、左右の各支持腕の前上端をそれぞれ枠の左右の各直線状前部の前端より前下側に配置しており、枠の左右の両直線状前部と左右の両支持腕との間に食卓の天板を挿入し、枠の左右の両直線状前部の前端を食卓の天板の上面に当て、左右の両支持腕の前上端を食卓の天板の下面に当てて、椅子を食卓の天板に取り付ける幼児用無脚椅子において、
座席部は、座面と後左右の側面からなり、座席部の筒状上部は、座席部の後左右の側面の上部を外側に折り返し、その折り返し部と後左右の側面を留め具で連結しており、留め具の分離で座席部の筒状上部を展開可能にし、座席部を枠から取外可能にした椅子であって、
座席部の後左右の側面とその折り返し部には留め具のバックルを取り付けており、バックルは、操作部を押して分離する留め具であることを特徴とする椅子。
【請求項２】
座席部の後左右の側面とその折り返し部には、留め具のファスナを座席部の筒状上部に沿って取り付け、ファスナ下側位置に間隔を置いて留め具のバックルを取り付けており、
ファスナは、スライダの往復移動で両側の歯部の噛み合わせと解除を行い、両側の歯部が分離可能な留め具であることを特徴とする請求項１に記載の椅子。
【請求項３】
バックルは、オス型部とメス型部を嵌め込んで連結し、操作部を押してオス型部とメス型部を分離する留め具であることを特徴とする請求項１又は２に記載の椅子。
【考案の詳細な説明】
【技術分野】
【０００１】
本考案は、幼児が食卓で食事をする際に食卓の天板に取り付けて使用する椅子に関する。
【背景技術】
【０００２】
この種の椅子は、特許文献１に開示されているように、Ｕ字形状の枠の湾曲後部に座席部の筒状上部を貫通し、枠に座席部を取り付けている。枠は、金属管をＵ字形状に湾曲して構成している。座席部は、布製であり、座面と後左右の側面からなる。
【０００３】
枠の左右の両直線状前部には、それぞれ、支持腕の後上端に前後方向に固定した連結管を貫通し、各連結管の前端から突出した枠の各直線状前部の前端に、それぞれ、抜け止め用キャップを嵌め込んでいる。枠の左右の両直線状前部には、それぞれ、連結管を経て支持腕の後上端を取り付けている。支持腕は、金属管を溝形状に折曲して構成している。連結管は、金属管である。抜け止め用キャップは、ゴムキャップである。
【０００４】
左右の各支持腕の前上端には、それぞれ、保護用キャップを嵌め込んでいる。保護用キャップは、ゴムキャップである。左右の各保護用キャップは、それぞれ、左右の各抜け止め用キャップより前下側に配置している。
【０００５】
この椅子を使用する場合、枠の左右の両直線状前部とその下側位置の左右の両支持腕との間に、食卓の天板の周辺部を挿入し、左右の両抜け止め用キャップを食卓の天板の上面に当て、左右の両保護用キャップを食卓の天板の下面に当てて、椅子を食卓の天板の周辺部に水平に取り付ける。
【０００６】
幼児は、椅子の座席部とその前側位置の食卓の天板との間に、座席部の上面開口から挿入し、幼児の足を座席部の前面開口から突出して、幼児の尻を座席部に嵌め、幼児を食卓側向きに座らせる。
【０００７】
また、特許文献１に開示の椅子は、座席部を枠から取外可能にしている。座席部の筒状上部は、座席部の後左右の側面の上部を外側に折り返し、その折り返し部と後左右の側面に、ファスナを筒状上部のほぼ全長にわたって取り付け、ファスナ下側位置に複数のホックをほぼ等間隔に取り付けている。即ち、座席部の筒状上部は、ファスナとホックの２種類の分離可能な留め具で展開可能に閉鎖している。
【０００８】
布製の座席部は、幼児が食べ物で汚すと、洗濯をするため、金属製の枠から取り外す。このとき、下側位置のホックを分離し、次に、上側の奥位置のファスナを分離する。その後、座席部の筒状上部を展開する。すると、座席部は、枠から外れる。
【０００９】
【特許文献１】登録実用新案第３０５９４３５号
【考案の開示】
【考案が解決しようとする課題】
【００１０】
ところが、上記のような、座席部を取外可能にした幼児用無脚椅子において、座席部は、座面に下向きの大きな力が加わると、後左右の側面が下側に引っ張られると共に、その折り返し部が上側に引っ張られ、雄雌のホックが分離することがある。また、座席部は、側面の折り返し部に外向きの大きな力が加わると、雄雌のホックが分離することがある。
【００１１】
ホックが分離すると、ホックの奥に位置するファスナが露出する。ファスナのスライダに大人や幼児の手が接触可能になる。幼児がスライダを移動させるおそれがある。
【課題を解決するための手段】
【００１２】
１）Ｕ字形状の枠の湾曲後部に座席部の筒状上部を貫通して枠に座席部を取り付け、枠の左右の両直線状前部にそれぞれ支持腕の後上端を取り付け、左右の各支持腕の前上端をそれぞれ枠の左右の各直線状前部の前端より前下側に配置しており、枠の左右の両直線状前部と左右の両支持腕との間に食卓の天板を挿入し、枠の左右の両直線状前部の前端を食卓の天板の上面に当て、左右の両支持腕の前上端を食卓の天板の下面に当てて、椅子を食卓の天板に取り付ける幼児用無脚椅子において、
座席部は、座面と後左右の側面からなり、座席部の筒状上部は、座席部の後左右の側面の上部を外側に折り返し、その折り返し部と後左右の側面を留め具で連結しており、留め具の分離で座席部の筒状上部を展開可能にし、座席部を枠から取外可能にした椅子であって、
座席部の後左右の側面とその折り返し部には留め具のバックルを取り付けており、バックルは、操作部を押して分離する留め具であることを特徴とする。
【００１３】
２）上記の幼児用無脚椅子において、
座席部の後左右の側面とその折り返し部には、留め具のファスナを座席部の筒状上部に沿って取り付け、ファスナ下側位置に間隔を置いて留め具のバックルを取り付けており、
ファスナは、スライダの往復移動で両側の歯部の噛み合わせと解除を行い、両側の歯部が分離可能な留め具であることを特徴とする。
【００１４】
３）上記の幼児用無脚椅子において、
バックルは、オス型部とメス型部を嵌め込んで連結し、操作部を押してオス型部とメス型部を分離する留め具であることを特徴とする。
【考案の効果】
【００１５】
座席部の筒状上部は、後左右の側面とその折り返し部を、従来におけるホックに代えて、操作部を押して分離するバックルで連結している。
【００１６】
バックルは、その操作部を押さなければ、分離しない。座席部の座面に下向きの大きな力が加わっても、また、座席部の側面の折り返し部に外向きの大きな力が加わっても、バックルが分離しない。
【００１７】
バックルは、その操作部を押す力が加わらない限り、不意に分離しない。バックルの奥に位置するファスナが不意に露出しない。ファスナのスライダが不意に移動するおそれが少ない。
【考案を実施するための最良の形態】
【００１８】
幼児用無脚椅子は、図１〜図３に示すように、Ｕ字形状の枠１の湾曲後部に座席部２の筒状上部を貫通し、枠１に座席部２を垂れ下げて取り付けている。枠１は、金属管をＵ字形状に湾曲して構成している。座席部２は、布製であり、座面と後側面及び左右の側面からなる。
【００１９】
枠１の左右の両直線状前部には、図１と図２に示すように、それぞれ、溝形状の支持腕３の後上端に前後方向に固定した連結管４を貫通し、左右の各連結管４の前端から突出した枠１の各直線状前部の前端に、それぞれ、抜け止め用キャップ５を嵌め込んでいる。枠１の左右の両直線状前部には、それぞれ、連結管４を経て支持腕３の後上端を取り付けている。支持腕３は、金属管を溝形状に折曲して構成している。連結管４は、金属管である。抜け止め用キャップ５は、ゴムキャップである。抜け止め用キャップ５の下側面には、ゴムの吸盤６を一体に形成している。
【００２０】
左右の各支持腕３の前上端には、図１〜図３に示すように、それぞれ、保護用キャップ７を嵌め込んでいる。保護用キャップ７は、ゴムキャップである。左右の各保護用キャップ７は、それぞれ、図１に示すように、左右の各吸盤６より前下側に配置している。
【００２１】
座席部２の筒状上部１１は、図１と図４（ａ）に示すように、座席部２の後左右の側面１２の上部を外側に折り返し、その折り返し部１３と後左右の側面１２に、ファスナ１４を筒状上部１１のほぼ全長にわたって取り付け、ファスナ１４下側位置に複数のバックル１５をほぼ等間隔に取り付けている。即ち、座席部２の筒状上部１１は、ファスナ１４とバックル１５の２種類の分離可能な留め具で展開可能に閉鎖している。２種類の留め具１４、１５を分離すると、図４（ｂ）に示すように、筒状上部１１は、展開可能になる。座席部２は、図５に示すように、枠１から取外可能になる。
【００２２】
ファスナ１４は、スライダの往復移動で両側の歯部の噛み合わせと解除を行い、両側の歯部が分離可能な留め具である。バックル１５は、図６と図７に示すように、オス型部２１とメス型部２２を嵌め込んで連結し、操作部２３を押してオス型部２１とメス型部２２を分離する留め具である。この留め具１５は、操作部２３を押さなければ、分離しない。
【００２３】
バックル１５は、合成樹脂成形品である。オス型部２１は、図７に示すように、舌形状の掛け止め片２４を片持ち状に形成している。掛け止め片２４は、弾性があり、湾曲可能である。メス型部２２は、内部に横棒形状の掛け止め片２５を形成し、正面に舌形状の操作部２３を片持ち状に形成している。操作部２３は、弾性があり、湾曲可能である。
【００２４】
オス型部２１とメス型部２２を嵌め込むと、図６に示すように、オス型部２１の掛け止め片２４の凸状先端が、メス型部２２の掛け止め片２５を乗り越えて掛け止め片２５に引っ掛かり、両掛け止め片２４、２５でオス型部２１とメス型部２２が抜け止めになって連結する。メス型部２２の操作部２３を押すと、操作部２３でオス型部２１の掛け止め片２４の凸状先端が押されてメス型部２２の掛け止め片２５から外れ、オス型部２１とメス型部２２の抜け止めが解除され、オス型部２１とメス型部２２が分離する。
【００２５】
この椅子を使用する場合、図１に示すように、枠１の左右の両直線状前部とその下側位置の左右の両支持腕３との間に、食卓の天板Ｔの周辺部を挿入し、左右の両抜け止め用キャップ５の吸盤６を食卓の天板Ｔの上面に吸着し、左右の両保護用キャップ７を食卓の天板Ｔの下面に当てて、椅子を食卓の天板Ｔの周辺部に水平に取り付ける。
【００２６】
幼児は、椅子の座席部２とその前側の食卓の天板Ｔとの間に、座席部２の上面開口から挿入し、幼児の足を座席部２の前面開口から突出して、幼児の尻を座席部２に嵌め、幼児を食卓側向きに座らせる。
【００２７】
座席部２を洗濯のため枠１から取り外す場合、図４（ｂ）に示すように、バックル１５を分離してファスナ１４を分離し、図５に示すように、筒状上部１１を開放して展開する。座席部２は、枠１から取り外される。
【図面の簡単な説明】
【００２８】
【図１】本考案の実施形態における幼児用無脚椅子の側面図。
【図２】同椅子の平面図。
【図３】同椅子の正面図。
【図４】図１のＡ−Ａ線断面の一部拡大図であって、（ａ）は座席部の筒状上部を閉鎖した状態、（ｂ）は座席部の筒状上部を開放した状態を示す図。
【図５】同椅子の座席部の筒状上部を展開して座席部を枠から取り外した状態の側面図。
【図６】同椅子のバックルの連結状態拡大図であって、（ａ）は正面図、（ｂ）は正面中央縦断面図。
【図７】同椅子のバックルの分離状態拡大図であって、（ａ）は正面図、（ｂ）は正面中央縦断面図。
【符号の説明】
【００２９】
１  Ｕ字形状の枠
２  座席部
３  支持腕
４  連結管
５  抜け止め用キャップ
６  吸盤
７  保護用キャップ
１１  座席部の筒状上部
１２  座席部の後左右の側面
１３  座席部の側面の折り返し部
１４  ファスナ、分離可能な留め具
１５  バックル、分離可能な留め具
２１  バックルのオス型部
２２  バックルのメス型部
２３  バックルの操作部
２４  オス型部の掛け止め片
２５  メス型部の掛け止め片
Ｔ  食卓の天板
【図１】
0003103493.tif 000003
【図２】
0003103493.tif 000004
【図３】
0003103493.tif 000005
【図４】
0003103493.tif 000006
【図５】
0003103493.tif 000007
【図６】
0003103493.tif 000008
【図７】
0003103493.tif 000009